(57)【要約】【課題】  周波数特性の帯域を確保しつつ、音質を劣化させるハウリングなどを防止することができる耳かけ型補聴器を提供する。【解決手段】  ケース本体２、フック３、チューブ４や耳せん６などからなる耳かけ型補聴器１であって、マイクロホン７をケース本体２の内部に配置し、イヤホン８をフック３の内部に配置する。フック３には、装用者の外耳道又はチューブ４へ音を導く導音部９が形成される。フック３の内部に、イヤホン８の音出力口の周囲を覆うゴムパッキン１０と、イヤホン８の端子８ａ，８ｂと電気的に接続する弾性コネクタ１１を設け、イヤホン８をフック３の内面に接することなく配置して、マイクロホン７に対する防振・遮音構造を構成する。【選択図】        図２
2010088070.tif 000002
【特許請求の範囲】
【請求項１】
ケース本体、フック、チューブや耳せんなどからなる耳かけ型補聴器であって、マイクロホンを前記ケース本体の内部に配置し、イヤホンを前記フックの内部に配置することを特徴とする耳かけ型補聴器。
【請求項２】
前記フックの内部に、前記イヤホンの音出力口の周囲を覆う弾性保持部材と、前記イヤホンの端子と電気的に接続する弾性コネクタを設け、前記イヤホンを前記フックの内面に接することなく配置して、前記マイクロホンに対する防振・遮音構造を構成する請求項１記載の耳かけ型補聴器。
【請求項３】
前記フックの内部に、前記イヤホンの音出力口の周囲を覆うと共に前記イヤホンの本体の一部も覆う弾性保持部材を設け、前記イヤホンを前記フックの内面に接することなく配置して、前記マイクロホンに対する防振・遮音構造を構成する請求項１記載の耳かけ型補聴器。
【発明の詳細な説明】
【技術分野】
【０００１】
本発明は、ケース本体、フック、チューブや耳せんなどからなる耳かけ型補聴器に関する。
【背景技術】
【０００２】
従来の耳かけ型補聴器のケース本体内部には、マイクロホン・イヤホン・ＤＳＰ（Digital Signal Processor）・電池などの部品が一つの空間に収納されていたため、イヤホンによる音や振動がマイクロホンへ伝搬し、増幅器を含めて形成される帰還ループにより、音質を劣化させる発振現象（ハウリング）などが発生するという問題があった。この主な原因はイヤホンが他部品と接触することにより発生する振動や音の複合的なものであり、特にケース本体の内壁と接触することによるものである。
【０００３】
これを解決するためにケース本体の内部に側壁（仕切壁）を設けてイヤホンと他部品とを分離し取り付けるケース構造で、この分離されたケース本体の内壁にイヤホンが接触しないように、このイヤホンの回動及び進退動を防止する内装型イヤホンの取付構造が提案されている（例えば、特許文献１参照）。
【０００４】
また、補聴器の故障又は異なる出力強さによる聴覚障害への適合のために、要求に応じて所定の出力段階のあらかじめ完成された構成ブロックから集成することができる補聴器が提案されている（例えば、特許文献２参照）。
【０００５】
また、使用者の耳孔内に挿入する樹脂框体の中にイヤホンを組み込み、耳介に装着する補聴器本体とはコードによって接続した補聴器が提案されている（例えば、特許文献３参照）。
【特許文献１】特開平１１−１４６４９５号公報
【特許文献２】特開平１−３００８００号公報
【特許文献３】特開昭６２−１５１１００号公報
【発明の開示】
【発明が解決しようとする課題】
【０００６】
しかし、特許文献１に記載の技術においては、イヤホンの振動への対策となるが、音への対応は不十分である。仕切壁はケース半体のそれぞれに設けられており、これらを組み合わせても、仕切壁の合せ目からの音漏れが生じ易く、仕切壁はイヤホンと他の部品とを分離するが、音に対しての遮音効果は低く、特に重・高度難聴用補聴器ではハウリングなどの問題は残る。また、仕切壁を設けるとこの仕切壁を含めたイヤホンのスペースが広くなり、ケースのサイズを大きくしなければならない。更に、補聴器のイヤホン修理では、作業者は他部品への気配りをしながらケースを分解しなければならないので、作業効率が低下する。
【０００７】
特許文献２に記載の技術においては、ケース構成ブロックは各ブロックの電気的又は機械的な結合方法など各構成ブロックの具体的な構造は開示されていない。ケース構成ブロックでは各々独立した構成ブロックごとに電気的又は機械的な結合部のための部品や構成部が必要となり、ケースのサイズをさらに増加させてしまうことになる。
【０００８】
特許文献３に記載の技術においては、イヤホンを耳孔内に装着することで、イヤホンの振動や音によるハウリングなどの問題はなくなるが、文献では開示されていない周波数特性において、周波数特性の高域（例えば４ｋＨｚ以上）の音圧は急激に減少し、帯域の狭いものになってしまう。
【０００９】
本発明は、従来の技術が有するこのような問題点に鑑みてなされたものであり、その目的とするところは、周波数特性の帯域を確保しつつ、音質を劣化させるハウリングなどを防止することができる耳かけ型補聴器を提供しようとするものである。
【課題を解決するための手段】
【００１０】
上記課題を解決すべく請求項１に係る発明は、ケース本体、フック、チューブや耳せんなどからなる耳かけ型補聴器であって、マイクロホンを前記ケース本体の内部に配置し、イヤホンを前記フックの内部に配置するものである。
【００１１】
請求項２に係る発明は、請求項１記載の耳かけ型補聴器において、前記フックの内部に、前記イヤホンの音出力口の周囲を覆う弾性保持部材と、前記イヤホンの端子と電気的に導通する弾性コネクタを設け、前記イヤホンを前記フックの内面に接することなく配置して、前記マイクロホンに対する防振・遮音構造を構成するものである。
【００１２】
請求項３に係る発明は、請求項１記載の耳かけ型補聴器において、前記フックの内部に、前記イヤホンの音出力口の周囲を覆うと共に前記イヤホンの本体の一部も覆う弾性保持部材を設け、前記イヤホンを前記フックの内面に接することなく配置して、前記マイクロホンに対する防振・遮音構造を構成するものである。
【発明の効果】
【００１３】
本発明によれば、イヤホンとマイクロホンが分離して設置されるので、周波数特性の帯域を確保しつつ(例えば６ｋＨｚまで) 、イヤホンの音と振動がマイクロホンへ伝搬し難くなり、音質を劣化させるハウリングなどを抑制することができる。イヤホンの修理では、ケース本体を分解する必要がないので、作業者は他部品への気配りをすることなく修理でき、作業効率が向上する。フックに配置した方が、ケース内部にイヤホンを配置したときに比べ、省スペースとなり、耳かけ型補聴器の小型化が図られる。
【発明を実施するための最良の形態】
【００１４】
以下に本発明の実施の形態を添付図面に基づいて説明する。ここで、図１は本発明に係る耳かけ型補聴器の全体斜視図、図２は本発明に係る耳かけ型補聴器の第１実施の形態の要部断面図、図３は同じく第２実施の形態の要部断面図、図４は同じく第３実施の形態の要部断面図である。
【００１５】
本発明に係る耳かけ型補聴器１は、図１に示すように、ケース本体２、フック３、チューブ４、ジョイント５、耳せん６などからなる。ケース本体２の内部には、マイクロホン、補聴処理部としてのＤＳＰ（Digital Signal Processor）や電池などの部品を収納している。イヤホンはフック３の内部に配置し、ケース本体２の内部に配置するマイクロホンと分離し、イヤホンの音・振動がマイクロホンへ伝わらないようにする各種の防音・防振構造及びイヤホンとケース本体２との電気的接続構造を構成している（第１実施の形態〜第３実施の形態）。
【００１６】
本発明に係る耳かけ型補聴器の第１実施の形態は、図２（ａ）に示すように、フック３の内部にイヤホン８を配置する空間を形成し、イヤホン８を保持部材１０で保持すると共に、コネクタ１１によりイヤホン８とケース本体２を圧接で電気的に接続している。フック３には、イヤホン８の出力音をチューブ４に導く導音部９が設けられている。
【００１７】
ケース本体２へのフック３の取付は、ケース本体２の端部に形成された凸部２ａとフック３の端部に形成された凹部３ａの嵌合で行われる。凸部２ａには電極１３ａ，１３ｂが設けられ、凸部２ａの断面形状は楕円や多角形など凹部３ａと嵌合しても回転しない形状である。
【００１８】
イヤホン８をフック３の内部に保持するための保持部材１０は、弾性体（例えば、ニトリルゴム、シリコンゴムなど）で形成され（例えば、ゴムパッキン）、フック３の内面に設けた段部３ｂに当接している。保持部材（ゴムパッキン）１０は、ケース本体２の内部に配置するマイクロホン７への音漏れ防止と防振と位置決め用であり、イヤホン８がフック３の内面に接触しない役目を果たす。
【００１９】
コネクタ１１は、図２（ｂ）に示すように、弾力があり電気的絶縁となる材料（例えば、ニトリルゴム、シリコンゴムなど）で形成され、組み込んだ際にケース本体２の凸部２ａに設けた電極１３ａ，１３ｂとイヤホン８の端子８ａ，８ｂが接触する位置に夫々金属製の細線（例えば銅線）１４が巻かれている。そして、コネクタ１１はイヤホン８との電気的接続を確保すると共に、イヤホン８の防振と位置決め用であり、ゴムパッキン１０と共にフック３の内面にイヤホン８が接触しないように保持する役目を果たす。
【００２０】
保持部材としては、ゴムパッキン１０の他に、図２（ｃ）に示すように、イヤホン８の音出力口の周囲を覆うと共にイヤホン８本体の一部も覆う保持部材１２でもよい。この場合、保持部材１２だけでイヤホン８がフック３の内面に接触しないように保持する役目を果たすことができるので、コネクタ１１にその役目を果たさせる必要がなくなる。
【００２１】
図２（ｂ）に示すコネクタ１１を用いず、図２（ｄ）に示すように、弾性のあるコネクタ１５にイヤホン８の端子８ａ，８ｂと直接接触する電極１６ａ，１６ｂを設け、これをケース本体２に取り付ける構造も可能である。この場合、ケース本体２を構成する各々の半体ケースに、コネクタ１５の組込み部を形成しておけばよい。また、フック３に対するイヤホン８の取付位置が安定するように、図２（ｃ）に示す保持部材１２を用いるのが望ましい。
【００２２】
以上のように構成された本発明に係る耳かけ型補聴器の第１実施の形態の作用について説明する。フック３をケース本体２に取り付けることで、装用者が耳介に装着するための形状が形成されることになる。マイクロホン７とイヤホン８が分離して設置されるので、イヤホン８の音と振動がマイクロホン７へ伝搬することなく、音質を劣化させるハウリングなどを防止することができる。
【００２３】
導音部９の内部形状（断面積や長さ）を変えることにより音響的な共振周波数を調整することができる。チューブ４・耳栓６は、導音部９から導かれたイヤホン８の出力音を装用者の外耳道へ導く。フック３と同様に、これら４，６の内部形状を変えることで音響的な共振周波数を調整することができる。フック３・チューブ４・耳栓６により、周波数特性において、１〜２ｋＨｚ以下の音を導くと共に、音響的な共振により２〜６ｋＨｚの高域音を得ることができる。所望以上の音響的共振によるピークは音響ダンパを用いてレベルを下げることができる。
【００２４】
なお、チューブ４を兼ねた形状のフックを用いることで、装用者が耳かけ型補聴器を装着した際に、フックの先端が装用者の外耳道の開口部に配置するようにすることもできる。また、イヤホン８の修理は、ケース本体２を分解することなく、フック３をケース本体２から外すことで可能となる。
【００２５】
次に、本発明に係る耳かけ型補聴器の第２実施の形態は、図３（ａ）に示すように、フック３の内部にイヤホン８を配置する空間を形成し、イヤホン８を保持部材１２で保持すると共に、イヤホン８の端子８ａ，８ｂとケース本体２の凸部２ａに設けた電極１３ａ，１３ｂを半田付けしたリード線２０ａ，２０ｂで電気的に接続している。フック３には、イヤホン８の出力音をチューブ４に導く導音部９が設けられている。
【００２６】
また、図３（ｂ）に示すように、保持部材として、図２（ａ）に示すゴムパッキン１０を用いることもできる。この場合、フック３に対するイヤホン８の取付位置を安定させるために、イヤホン８の本体部に弾性のある帯状のサスペンション２１が必要となる（例えば、シリコンゴム製）。リード線２０ａ，２０ｂはウレタン銅線などで、イヤホン８をフック３に組込むために必要な長さである。その他の構成・作用は、第１実施の形態と同様である。
【００２７】
次に、本発明に係る耳かけ型補聴器の第３実施の形態は、図４（ａ）に示すように、フック２３の内部にイヤホン８を配置する空間を形成し、イヤホン８を保持部材１２で保持すると共に、イヤホン８の端子８ａ，８ｂとケース本体２２の凸部２２ａに設けた電極１３ａ，１３ｂを半田付けしたリード線２０ａ，２０ｂで電気的に接続している。フック２３には、イヤホン８の出力音をチューブ４に導く導音部９が設けられている。ケース本体２２へのフック２３の取付は、ケース本体２２の端部に形成された雄ねじ部２２ｂとフック２３の端部に形成された雌ねじ部２３ａの螺合により行われる。
【００２８】
また、図４（ｂ）に示すように、保持部材として、図２（ａ）に示すゴムパッキン１０を用いることもできる。この場合、フック２３に対するイヤホン８の取付位置を安定させるために、イヤホン８の本体部に弾性のある帯状のサスペンション２１が必要となる（例えば、シリコンゴム製）。リード線２０ａ，２０ｂはウレタン銅線などで、イヤホン８をフック２３に組込むために必要な長さである。その他の構成・作用は、第１実施の形態と同様である。
【産業上の利用可能性】
【００２９】
本発明によれば、周波数特性の帯域を確保しつつ(例えば６ｋＨｚまで) 、イヤホンの音と振動がマイクロホンへ伝搬することなく、音質を劣化させるハウリングなどを防止することができる耳かけ型補聴器を提供することができる。
【図面の簡単な説明】
【００３０】
【図１】本発明に係る耳かけ型補聴器の全体斜視図
【図２】本発明に係る耳かけ型補聴器の第１実施の形態で、（ａ）は保持部材としてゴムパッキンを用いた場合の要部断面図、（ｂ）はコネクタの側面図、（ｃ）は他の保持部材を用いた場合の要部断面図、（ｄ）は他のコネクタの断面図
【図３】本発明に係る耳かけ型補聴器の第２実施の形態で、（ａ）は他の保持部材を用いた場合の要部断面図、（ｂ）は保持部材としてゴムパッキンを用いた場合の要部断面図
【図４】本発明に係る耳かけ型補聴器の第３実施の形態で、（ａ）は他の保持部材を用いた場合の要部断面図、（ｂ）は保持部材としてゴムパッキンを用いた場合の要部断面図
【符号の説明】
【００３１】
１…耳かけ型補聴器、２，２２…ケース本体、２ａ，２２ａ…凸部、３，２３…フック、３ａ…凹部、４…チューブ、６…耳せん、７…マイクロホン、８…イヤホン、８ａ，８ｂ…端子、９…導音部、１０…ゴムパッキン（保持部材）、１１，１５…コネクタ、１２…保持部材、１３ａ，１３ｂ…電極、２０ａ，２０ｂ…リード線、２１…サスペンション、２２ｂ…雄ねじ部、２３ａ…雌ねじ部。
【図１】
2010088070.tif 000003
【図２】
2010088070.tif 000004
【図３】
2010088070.tif 000005
【図４】
2010088070.tif 000006